(57)【要約】【課題】  使用者によって入力された発信者電話番号、発信類型情報及び認証状態情報を該当文字メッセージと共に伝送することにより、受信されるメッセージの発信者情報に対する信頼性を向上できる移動通信システムのメッセージ発信者情報確認装置及び方法を提供する。【解決手段】  移動通信システムのメッセージ発信者情報確認装置は、受信されたメッセージの受信者情報、発信者の電話番号、発信類型情報及び認証状態情報を検出するサーバーと、前記検出された受信者情報に基づいて前記メッセージの伝送経路を設定し、該設定された伝送経路を通じて前記メッセージと前記検出された発信者電話番号、発信類型情報及び認証状態情報を伝送するＭＳＣと、を含む。【選択図】    図１
2005218081.tif 000002
【特許請求の範囲】
【請求項１】
受信されたメッセージの受信者情報、発信者の電話番号、発信類型情報及び認証状態情報を検出するサーバーと、
前記検出された受信者情報に基づいて前記メッセージの伝送経路を設定し、該設定された伝送経路を通じて前記メッセージと前記検出された発信者電話番号、発信類型情報及び認証状態情報を伝送するＭＳＣと、
を含むことを特徴とする移動通信システムのメッセージ発信者情報確認装置。
【請求項２】
前記メッセージは、短文メッセージ、長文メッセージ及びマルチメディアメッセージのうちいずれか１つであることを特徴とする請求項１に記載の移動通信システムのメッセージ発信者情報確認装置。
【請求項３】
前記発信類型情報は、前記メッセージを送信できるＭＳ、コンピュータまたは有線電話機のうちいずれか１つを示すことを特徴とする請求項１に記載の移動通信システムのメッセージ発信者情報確認装置。
【請求項４】
前記ＭＳ、コンピュータ及び有線電話機は、公衆網を通じて前記ＭＳＣに接続することを特徴とする請求項３に記載の移動通信システムのメッセージ発信者情報確認装置。
【請求項５】
前記認証状態情報は、使用者によって入力された発信者の電話番号が前記移動通信システムに登録された固有番号であるか否かを示すことを特徴とする請求項１に記載の移動通信システムのメッセージ発信者情報確認装置。
【請求項６】
前記ＭＳＣから伝送されたメッセージ、前記発信者電話番号、前記発信類型情報及び前記認証状態情報を受信してディスプレイ装置に表示するＭＳをさらに含むことを特徴とする請求項１に記載の移動通信システムのメッセージ発信者情報確認装置。
【請求項７】
前記ディスプレイ装置は、液晶表示装置(ＬＣＤ)であることを特徴とする請求項６に記載の移動通信システムのメッセージ発信者情報確認装置。
【請求項８】
受信されたメッセージの受信者情報、発信者の電話番号、発信類型情報及び認証状態情報を検出する段階と、
前記検出された受信者情報に基づいて前記メッセージの伝送経路を設定する段階と、
前記設定された伝送経路を通じて前記メッセージと前記検出された発信者電話番号、発信類型情報及び認証状態情報を伝送する段階と、
を含むことを特徴とする移動通信システムのメッセージ発信者情報確認方法。
【請求項９】
前記メッセージは、短文メッセージ、長文メッセージ及びマルチメディアメッセージのうちいずれか１つであることを特徴とする請求項８に記載の移動通信システムのメッセージ発信者情報確認方法。
【請求項１０】
前記発信類型情報は、前記メッセージを送信できるＭＳ、コンピュータまたは有線電話機のうちいずれか１つを示すことを特徴とする請求項８に記載の移動通信システムのメッセージ発信者情報確認方法。
【請求項１１】
前記ＭＳ、コンピュータ及び有線電話機は、公衆網を通じて前記ＭＳＣに接続することを特徴とする請求項１０に記載の移動通信システムのメッセージ発信者情報確認方法。
【請求項１２】
前記認証状態情報は、使用者によって入力された発信者の電話番号が前記移動通信システムに登録された固有番号であるか否かを示すことを特徴とする請求攻８に記載の移動通信システムのメッセージ発信者情報確認方法。
【請求項１３】
前記伝送されたメッセージ、発信者の電話番号、発信類型情報及び認証状態情報をディスプレイ装置にディスプレイする段階をさらに含むことを特徴とする請求項８に記載の移動通信システムのメッセージ発信者情報確認方法。
【請求項１４】
前記ディスプレイ装置は、液晶表示装置(ＬＣＤ)であることを特徴とする請求項１３に記載の移動通信システムのメッセージ発信者情報確認方法。
【請求項１５】
前記ディスプレイする段階は、
前記メッセージが入力されたか否かを確認する段階と、
前記メッセージが入力された時、前記メッセージ、前記メッセージの発信者電話番号、発信類型情報及び認証状態情報を検出する段階と、
前記検出されたメッセージと前記検出されたメッセージの発信者電話番号、発信類型情報及び認証状態情報をディスプレイする段階と、を含むことを特徴とする請求項１３に記載の移動通信システムのメッセージ発信者情報確認方法。
【請求項１６】
前記検出する段階は、
前記メッセージを検出する段階と、
前記メッセージの発信類型情報を検出する段階と、
前記メッセージの認証状態情報を検出する段階と、
前記メッセージの発信者電話番号を検出する段階と、を含むことを特徴とする請求項１５に記載の移動通信システムのメッセージ発信者情報確認方法。
【発明の詳細な説明】
【技術分野】
【０００１】
本発明は、移動通信システム(Mobile Communication System)に関し、特に、移動通信システムのメッセージ発信者情報確認装置及びその方法に関する。
【背景技術】
【０００２】
一般的に、移動通信システムは、使用者がＢＳ(Base Station: 以下、ＢＳと称する。)によって形成されるサービス領域内で移動しながら、ＭＳＣ(MobileSwitching Center: 以下、ＭＳＣと称する。)のスイッチング制御を通じていつでもどこでも直ちに相手を無線呼出及び無線接続して通信できるシステムで、移動通信関連技術の発達によって音声信号を利用した通信だけでなく、データ通信及びマルチメディア通信も可能である。
【０００３】
このような移動通信のために使用されるＭＳ(Mobile Station: 以下、ＭＳと称する。)は、実際的に使用者が通信のために使用される時間が少なく、待機(Standby)状態で携帯する時間が大部分であるため、前記ＭＳの使用時間または運用率が低い。このようなＭＳの低い運用率を高めるために移動通信サービス事業者は、付加サービスを開発して提供しているが、前記付加サービスとして、オンラインゲーム(OnlineGame)、無線インターネット(Wireless Internet)接続、文字メッセージ伝送及び映像メッセージ伝送などのサービスが提供されている。また、前記ＭＳの製造者が開発して提供する付加サービスとしては、電話番号帳管理、メモ作成、メッセージ作成、スケジュール管理、ゲーム、カメラ機能、電子計算機、アラームなどの多様な機能がある。
【０００４】
前記ＭＳによって提供される付加サービスのうち、最も一般的に使用される文字メッセージ伝送機能は、前記ＭＳによって提供される記号、数字、文字及び図形などを利用して相手に所望の内容のメッセージを簡単で正確に伝達することができる。前記文字メッセージ伝送機能は、チャネル(Channel)を占有する時間が非常に短いため、通信費用が低廉で、さらに、非実時間伝送方式であるため、相手のフックオフ(Hook Off)に関係なく所望の内容を正確に伝達できるという長所がある。
【０００５】
このとき、前記文字メッセージを伝送する発信類型は、一般有線電話機に文字端末機を接続して伝送する方式、インターネットにコンピュータを接続して伝送する方式及び移動通信端末機で文字メッセージを作成して伝送する方式があり、これら方式は、全て発信者番号として使用者の固有電話番号を入力するか、または、任意の電話番号を入力することにより、前記入力された発信者番号を該当する文字メッセージと共に伝送する。従って、受信側ＭＳは、前記受信された文字メッセージ及び前記文字メッセージの発信者番号を確認することができる。
【０００６】
以下、図４を参照して、このような文字メッセージ伝送サービスをするための従来技術による移動通信システムのメッセージ発信者情報確認方法を説明する。
【０００７】
図４は、従来技術による移動通信システムのメッセージ発信者情報確認方法を示すフローチャートである。
【０００８】
図４に示すように、従来技術による移動通信システムのメッセージ発信者情報確認方法は、文字メッセージが入力されたか否かを確認する段階(Ｓ１１)と、前記文字メッセージが入力された時、前記入力された文字メッセージの発信者電話番号及び受信者情報を検出する段階(Ｓ１２)と、前記検出された受信者情報に基づいて前記文字メッセージの伝送経路を設定する段階(Ｓ１３)と、前記設定された伝送経路を通じて前記文字メッセージ及び前記検出された発信者電話番号を伝送する段階(Ｓ１４)と、前記伝送された文字メッセージ及び発信者電話番号をディスプレイする段階(Ｓ１５)と、からなる。
【０００９】
以下、前述したような従来技術による移動通信システムのメッセージ発信者情報確認方法を詳細に説明する。
【００１０】
まず、使用者は、前記ＭＳの文字メッセージ発信機能を通じて所望の内容の文字メッセージを作成し、発信者情報(例えば、発信者電話番号)を入力することによって、前記発信者情報を有する文字メッセージを使用者の属するサービス領域に該当するＢＳに伝送する。このとき、前記ＢＳは、前記ＭＳと無線接続して通信信号を送信／受信できるそれぞれの固有のサービス領域を形成するが、多数のＢＳが一定の間隔に配置されることによって、より広いサービス領域を形成する。
【００１１】
前記ＢＳは、前記受信された文字メッセージを前記ＭＳＣに伝送する。このとき、サーバーは、前記ＭＳＣに文字メッセージが入力されたか否かを確認し(Ｓ１１)、前記文字メッセージが入力された時、前記文字メッセージの発信者情報及び受信者情報を検出する(Ｓ１２)。前記サーバーが前記検出された情報を前記ＭＳＣに伝送することにより、前記ＭＳＣは、前記検出された受信者情報に基づいて前記文字メッセージの伝送経路を設定する(Ｓ１３)。
【００１２】
その後、前記ＭＳＣは、前記設定された伝送経路を通じて前記受信された文字メッセージ及び前記検出された発信者情報を受信側ＭＳの属するＢＳに伝送(Ｓ１４)するので、受信側ＭＳは、前記伝送された文字メッセージ及び前記文字メッセージの発信者情報をディスプレイ装置を通じてディスプレイする(Ｓ１５)。このとき、前記受信側ＭＳが前記伝送された文字メッセージ及び前記文字メッセージの発信者情報をディスプレイする過程を図５を参照して説明する。
【００１３】
図５は、従来技術による受信側ＭＳのメッセージ発信者情報確認方法を示すフローチャートである。
【００１４】
図５に示すように、従来技術による受信側ＭＳのメッセージ発信者情報確認方法は、文字メッセージが受信されたか否かを確認する段階(Ｓ２１)と、前記文字メッセージが受信された時、前記文字メッセージを検出する段階(Ｓ２２)と、前記検出された文字メッセージの発信者電話番号を検出する段階(Ｓ２３)と、前記検出された文字メッセージ及び発信者電話番号をディスプレイする段階(Ｓ２４)と、からなる。
【００１５】
以下、このような従来技術による受信側ＭＳのメッセージ発信者情報確認方法を詳細に説明する。
【００１６】
まず、伝送経路上の受信側ＢＳは、前記文字メッセージ及び前記文字メッセージの発信者電話番号を前記受信側ＭＳに伝送し、前記受信側ＭＳは、周期的に該当サービス領域のＢＳから伝送されたメッセージが入力されたか否かを確認する(Ｓ２１)。
【００１７】
以後、前記受信側ＭＳは、前記メッセージが入力された時、前記メッセージを検出し(Ｓ２２)、前記メッセージの発信者電話番号を検出し(Ｓ２３)、前記検出されたメッセージ及び発信者電話番号をディスプレイ装置を通じてディスプレイすることにより、文字メッセージ及び前記文字メッセージの発信者電話番号を確認することができる(Ｓ２４)。
【００１８】
前述したように、一般的な移動通信システムの文字メッセージ伝送方法は、各種通信関連技術の発達、大量生産及び部品価格低下などによって、誰でも比較的に低廉な通信費用及び非実時間で正確に所望の内容を伝達することができる。
【００１９】
しかしながら、従来技術による移動通信システムの発信者情報確認方法は、使用者によって入力された発信者電話番号のみを発信者情報として設定して該当する文字メッセージと共に伝送するので、受信側は、受信された文字メッセージの発信者情報に対する真実性を正確に確認することができないという問題点があった。
【発明の開示】
【発明が解決しようとする課題】
【００２０】
従って、本発明の目的は、使用者によって入力された発信者電話番号、発信類型情報及び認証状態情報を該当文字メッセージと共に伝送することにより、受信されるメッセージの発信者情報に対する信頼性を向上できる移動通信システムのメッセージ発信者情報確認装置及びその方法を提供することにある。
【課題を解決するための手段】
【００２１】
このような目的を達成するために、本発明による移動通信システムのメッセージ発信者情報確認装置は、受信されたメッセージの受信者情報、発信者の電話番号、発信類型情報及び認証状態情報を検出するサーバーと、前記検出された受信者情報に基づいて前記メッセージの伝送経路を設定し、該設定された伝送経路を通じて前記メッセージと前記検出された発信者電話番号、発信類型情報及び認証状態情報を伝送するＭＳＣと、を含む。
【００２２】
このような目的を達成するために、本発明による移動通信システムのメッセージ発信者情報確認方法は、受信されたメッセージの受信者情報、発信者の電話番号、発信類型情報及び認証状態情報を検出する段階と、前記検出された受信者情報に基づいて前記メッセージの伝送経路を設定する段階と、前記設定された伝送経路を通じて前記メッセージと前記検出された発信者電話番号、発信類型情報及び認証状態情報を伝送する段階と、を含む。
【００２３】
従って、本発明は、以下を提供する。
１．受信されたメッセージの受信者情報、発信者の電話番号、発信類型情報及び認証状態情報を検出するサーバーと、
前記検出された受信者情報に基づいて前記メッセージの伝送経路を設定し、該設定された伝送経路を通じて前記メッセージと前記検出された発信者電話番号、発信類型情報及び認証状態情報を伝送するＭＳＣと、
を含むことを特徴とする移動通信システムのメッセージ発信者情報確認装置。
２．前記メッセージは、短文メッセージ、長文メッセージ及びマルチメディアメッセージのうちいずれか１つであることを特徴とする項目１に記載の移動通信システムのメッセージ発信者情報確認装置。
３．前記発信類型情報は、前記メッセージを送信できるＭＳ、コンピュータまたは有線電話機のうちいずれか１つを示すことを特徴とする項目１に記載の移動通信システムのメッセージ発信者情報確認装置。
４．前記ＭＳ、コンピュータ及び有線電話機は、公衆網を通じて前記ＭＳＣに接続することを特徴とする項目３に記載の移動通信システムのメッセージ発信者情報確認装置。
５．前記認証状態情報は、使用者によって入力された発信者の電話番号が前記移動通信システムに登録された固有番号であるか否かを示すことを特徴とする項目１に記載の移動通信システムのメッセージ発信者情報確認装置。
６．前記ＭＳＣから伝送されたメッセージ、前記発信者電話番号、前記発信類型情報及び前記認証状態情報を受信してディスプレイ装置に表示するＭＳをさらに含むことを特徴とする項目１に記載の移動通信システムのメッセージ発信者情報確認装置。
７．前記ディスプレイ装置は、液晶表示装置(ＬＣＤ)であることを特徴とする項目６に記載の移動通信システムのメッセージ発信者情報確認装置。
８．受信されたメッセージの受信者情報、発信者の電話番号、発信類型情報及び認証状態情報を検出する段階と、
前記検出された受信者情報に基づいて前記メッセージの伝送経路を設定する段階と、
前記設定された伝送経路を通じて前記メッセージと前記検出された発信者電話番号、発信類型情報及び認証状態情報を伝送する段階と、
を含むことを特徴とする移動通信システムのメッセージ発信者情報確認方法。
９．前記メッセージは、短文メッセージ、長文メッセージ及びマルチメディアメッセージのうちいずれか１つであることを特徴とする項目８に記載の移動通信システムのメッセージ発信者情報確認方法。
１０．前記発信類型情報は、前記メッセージを送信できるＭＳ、コンピュータまたは有線電話機のうちいずれか１つを示すことを特徴とする項目８に記載の移動通信システムのメッセージ発信者情報確認方法。
１１．前記ＭＳ、コンピュータ及び有線電話機は、公衆網を通じて前記ＭＳＣに接続することを特徴とする項目１０に記載の移動通信システムのメッセージ発信者情報確認方法。
１２．前記認証状態情報は、使用者によって入力された発信者の電話番号が前記移動通信システムに登録された固有番号であるか否かを示すことを特徴とする請求攻８に記載の移動通信システムのメッセージ発信者情報確認方法。
１３．前記伝送されたメッセージ、発信者の電話番号、発信類型情報及び認証状態情報をディスプレイ装置にディスプレイする段階をさらに含むことを特徴とする項目８に記載の移動通信システムのメッセージ発信者情報確認方法。
１４．前記ディスプレイ装置は、液晶表示装置(ＬＣＤ)であることを特徴とする項目１３に記載の移動通信システムのメッセージ発信者情報確認方法。
１５．前記ディスプレイする段階は、
前記メッセージが入力されたか否かを確認する段階と、
前記メッセージが入力された時、前記メッセージ、前記メッセージの発信者電話番号、発信類型情報及び認証状態情報を検出する段階と、
前記検出されたメッセージと前記検出されたメッセージの発信者電話番号、発信類型情報及び認証状態情報をディスプレイする段階と、を含むことを特徴とする項目１３に記載の移動通信システムのメッセージ発信者情報確認方法。
１６．前記検出する段階は、
前記メッセージを検出する段階と、
前記メッセージの発信類型情報を検出する段階と、
前記メッセージの認証状態情報を検出する段階と、
前記メッセージの発信者電話番号を検出する段階と、を含むことを特徴とする項目１５に記載の移動通信システムのメッセージ発信者情報確認方法。
【発明の効果】
【００２４】
本発明による移動通信システムのメッセージ発信者情報確認装置及び方法は、使用者によって入力された発信者電話番号、発信類型情報及び認証状態情報を該当メッセージと共に伝送することにより、受信されるメッセージの発信者情報に対する信頼性を向上できるという効果がある。
【発明を実施するための最良の形態】
【００２５】
以下、使用者によって入力されたメッセージの発信者電話番号、発信類型情報及び認証状態情報を該当メッセージと共に伝送することにより、受信されるメッセージの発信者情報に対する信頼性を向上できる移動通信システムのメッセージ発信者情報確認装置及び方法の望ましい実施形態を図面を参照して説明する。また、本発明の実施形態による移動通信システムのメッセージ発信者情報確認装置及び方法は、短文メッセージサービス(Ｓhort Message Service)、長文メッセージサービス(Long Message Service)、マルチメディアメッセージサービス(MultimediaMessage Service)を提供する全ての移動通信システムに適用されることができる。
【００２６】
図１は、本発明による移動通信システムのメッセージ発信者情報確認装置を概略的に示す構成図である。
【００２７】
図１に示すように、本発明による移動通信システムのメッセージ発信者情報確認装置は、メッセージを作成して前記作成された文字メッセージを発信する発信装置６０と、前記発信されたメッセージの受信者情報、発信者電話番号、発信類型情報及び認証状態情報を検出するサーバー４０と、前記検出された受信情報によって前記メッセージの伝送経路を設定し、前記設定された伝送経路を通じて前記メッセージと前記検出された発信者電話番号、発信類型情報及び認証状態情報を伝送するＭＳＣ３０と、前記伝送されたメッセージ、発信者電話番号、発信類型情報及び認証状態情報を該当受信側に出力するＢＳ２０と、前記出力されたメッセージ、発信者電話番号、発信類型情報及び認証状態情報をディスプレイ装置にディスプレイするＭＳ１０と、から構成される。ここで、発信装置６０は、メッセージを送信できる装置で、公衆網(Public Network)５０を通じて無線接続されるＭＳ６１と有線接続される電話機６２及びコンピュータ６３を意味する。
【００２８】
このように構成された本発明による移動通信システムの発信情報確認方法を図２を参照して説明する。
【００２９】
図２は、本発明による移動通信システムのメッセージ発信情報確認方法を示すフローチャートである。
【００３０】
図２に示すように、本発明による移動通信システムのメッセージ発信情報確認方法は、メッセージが入力されたか否かを確認する段階(Ｓ４１)と、前記メッセージが入力された時、前記メッセージの受信者情報、発信者電話番号、発信類型情報及び認証状態情報を検出する段階(Ｓ４２)と、前記検出された受信者情報に基づいて前記メッセージの伝送経路を設定する段階(Ｓ４３)と、前記設定された伝送経路を通じて前記メッセージと前記検出されたメッセージの発信者電話番号、発信類型情報及び認証状態情報を受信側に伝送する段階(Ｓ４４)と、前記伝送されたメッセージと前記伝送された発信者電話番号、発信類型情報及び認証状態情報をディスプレイする段階(Ｓ４５)と、からなる。
【００３１】
以下、このような本発明による移動通信システムのメッセージ発信情報確認方法を詳細に説明する。
【００３２】
まず、使用者は、前記メッセージを送信できる発信装置６０を通じてメッセージを作成して前記作成されたメッセージを発信する。ここで、発信装置６０としては、公衆網(Public Network)を通じてＭＳＣ３０に無線接続されるＭＳ６１と、ＭＳＣ３０に有線接続される電話機６２及びコンピュータ６３が使用されるが、前記メッセージの無線送信／受信機能を支援するＭＳ６１は、音声通信だけでなく記号、数字、文字などからなるデータ通信及び映像信号が含まれるマルチメディア通信が可能な装置である。
【００３３】
ＭＳＣ３０は、発信装置６０からメッセージを受信し、前記受信されたメッセージの発信情報によって前記受信されたメッセージを受信側ＭＳ１０の属するＢＳ２０に伝送する。このとき、サーバー４０は、ＭＳＣ３０に受信されたメッセージが存在するか否かを確認し(Ｓ４１)、前記受信されたメッセージが存在する時、前記受信されたメッセージの受信者情報、発信者電話番号、発信類型情報及び認証状態情報を検出して、前記検出された情報を発信情報としてＭＳＣ３０に伝送する(Ｓ４２)。ここで、前記発信類型情報は、メッセージを作成して送信する発信装置の種類を示し、前記認証状態情報は、使用者によって入力された発信者電話番号が前記移動通信システムに正常に登録された固有番号であるか否かを示す。
【００３４】
例えば、前記発信類型情報及び前記認証状態情報を次の表１のように設定されることができる。
＜表１＞
【００３５】
【表１】
2005218081.tif 000003
表１に示すように、前記表示状態で、Ｍがモバイル(Mobile)を、Ｉがインターネット(Internet)を、Ｔがテレフォン(Telephone)を示すことにより、前記発信類型情報を表示し、青色は登録された固有番号を、赤色は非登録された固有番号を意味することにより、前記認証状態情報を表示する。従って、３つの形態の発信類型情報及び２つの形態の認証状態情報に基づいて、６つの形態の発信情報が受信側に表示されるが、前記説明された形態以外にも容易に追加されることが分かる。
【００３６】
また、ＢＳ２０は、ＭＳ１０と無線接続して通信できるサービス領域を形成し、ＭＳＣ３０の制御によって運用される。ＭＳＣ３０は、移動通信システムの全般的な運用を制御及び監視すると同時に、呼(Call)接続要請信号を分析してスイッチング処理するので、前記メッセージの受信者情報に基づいて該当伝送経路を設定する(Ｓ４３)。前記伝送経路としては、音声信号を伝送する音声チャネル、データ信号を伝送するデータチャネル、及び運用情報などを伝送するチャネルなどがある。
【００３７】
以後、前記設定された伝送経路上の受信側ＢＳ２０が、ＭＳＣ３０から受信されたメッセージ及び前記発信情報を自分のサービス領域内にある該当ＭＳ１０に出力することによって(Ｓ４４)、前記該当ＭＳ１０は、前記出力されたメッセージ及び前記発信情報をディスプレイ装置にディスプレイする(Ｓ４５)。
【００３８】
以下、該当ＭＳ１０が前記出力されたメッセージ及び前記発信情報を前記該当ＭＳ１０のディスプレイ装置を通じてディスプレイする方法を図３を参照して説明する。
【００３９】
図３は、本発明による受信側ＭＳのメッセージ発信者情報確認方法を示すフローチャートである。
【００４０】
図３に示すように、本発明による受信側ＭＳのメッセージ発信者情報確認方法は、メッセージが受信されたか否かを確認する段階(Ｓ５１)と、前記メッセージが受信された時、前記メッセージを検出する段階(Ｓ５２)と、前記メッセージの発信類型情報を検出する段階(Ｓ５３)と、前記メッセージの認証状態情報を検出する段階(Ｓ５４)と、前記メッセージの発信者電話番号を検出する段階(Ｓ５５)と、前記検出されたメッセージ、発信者電話番号、発信類型情報及び認証状態情報をディスプレイする段階(Ｓ５６)と、からなる。
【００４１】
以下、このような本発明による受信側ＭＳのメッセージ発信者情報確認方法を詳細に説明する。
【００４２】
まず、伝送経路上のＢＳ２０は、前記メッセージと前記メッセージの発信者電話番号、発信類型情報及び認証状態情報を受信側ＭＳ１０に伝送し、受信側ＭＳ１０は、前記メッセージが受信されたか否かを周期的に確認する(Ｓ５１)。
【００４３】
受信側ＭＳ１０は、前記メッセージが受信された時、前記メッセージを検出する(Ｓ５２)。また、前記検出されたメッセージの発信情報として前記発信類型情報を検出し(Ｓ５３)、前記認証状態情報を検出した(Ｓ５４)後、前記発信者電話番号を検出する(Ｓ５５)。
【００４４】
以後、前記受信側ＭＳ１０は、前記検出されたメッセージと前記メッセージの発信者電話番号、発信類型情報及び認証状態情報をディスプレイ装置を通じてディスプレイする(Ｓ５６)。従って、本発明による移動通信システムの発信者情報確認装置は、前記文字メッセージを受信する受信側では、前記メッセージと共に受信された発信情報、即ち、発信者電話番号、発信類型情報及び認証状態情報を通じて前記受信されたメッセージの発信者を正確に確認することができる。
【００４５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４６】
【図１】本発明による移動通信システムのメッセージ発信者情報確認装置を概略的に示す構成図である。
【図２】本発明による移動通信システムのメッセージ発信者情報確認方法を示すフローチャートである。
【図３】本発明による受信側ＭＳのメッセージ発信者情報確認方法を示すフローチャートである。
【図４】従来技術による移動通信システムのメッセージ発信者情報確認方法を示すフローチャートである。
【図５】従来技術による受信側ＭＳのメッセージ発信者情報確認方法を示すフローチャートである。＜符号の説明＞１０、６１：ＭＳ(MobileStation)２０：ＢＳ(BaseStation)３０：ＭＳＣ(MobileSwitching Center)４０：サーバー５０：公衆網６０：発信装置６２：電話機６３：コンピュータ
【図１】
2005218081.tif 000004
【図２】
2005218081.tif 000005
【図３】
2005218081.tif 000006
【図４】
2005218081.tif 000007
【図５】
2005218081.tif 000008